(57)【要約】【課題】  本発明の課題は、簡単な構成で手洗い洗車が実行でき、しかも噴射ノズルから噴射する洗浄水同士が干渉しないようにする洗車装置を提供することにある。【解決手段】  洗浄する自動車を跨ぐように配設されたフレーム１，１と、フレーム１，１の上方に取り付けられるレール２と、レール２に沿って自動車の上方を長さ方向に走行する台車３と、台車３から自動車を挟むように吊下される左右一対の散水パイプ７，７と、パイプ７，７に設けられ自動車に向けて洗浄水を噴射する噴射ノズル８，９と、ノズルに高圧水を供給する給水ユニット５とを備えた洗車装置であって、散水パイプ７，７の左側パイプ７ｃと右側パイプ７ｃとを前後に距離Ｌずらして配置したものである。【選択図】図３
2005145216.tif 000002
【特許請求の範囲】
【請求項１】
洗浄する自動車を跨ぐように配設されたフレームと、該フレームの上方に取り付けられるレールと、該レールに沿って自動車の上方を長さ方向に走行する台車と、該台車から自動車を挟むように吊下される左右一対の散水パイプと、前記パイプに設けられ自動車に向けて洗浄水を噴射する噴射ノズルと、該ノズルに高圧水を供給する給水ユニットとを備えた洗車装置であって、
前記左散水パイプと右散水パイプとを前後にずらして配置したことを特徴とする洗車装置。
【請求項２】
洗浄する自動車を跨ぐように配設されたフレームと、該フレームの上方に取り付けられるレールと、該レールに沿って自動車の上方を長さ方向に走行する台車と、該台車から自動車を挟むように吊下される左右一対の散水パイプと、前記パイプに設けられ自動車に向けて洗浄水を噴射する噴射ノズルと、該ノズルに高圧水を供給する給水ユニットとを備えた洗車装置であって、
前記左散水パイプに設けられる噴射ノズルと、右散水パイプに設けられる噴射ノズルとを前後にずらして配置したことを特徴とする洗車装置。
【請求項３】
洗浄する自動車を跨ぐように配設されたフレームと、該フレームの上方に取り付けられるレールと、該レールに沿って自動車の上方を長さ方向に走行する台車と、該台車から自動車を挟むように吊下される左右一対の散水パイプと、前記パイプに設けられ自動車に向けて洗浄水を噴射する噴射ノズルと、該ノズルに高圧水を供給する給水ユニットとを備えた洗車装置であって、
前記散水パイプを逆Ｌ型に形成し、該パイプの水平部及び垂直部の内面に噴射ノズルを備えるとともに、パイプ水平部に設けられる噴射ノズルと、パイプ垂直部に設けられる噴射ノズルとを前後にずらして配置したことを特徴とする洗車装置。
【請求項４】
前記散水パイプの垂直部内面に設けられる噴射ノズルを水平方向よりもやや下向きに指向させたことを特徴とする上記請求項３記載の洗車装置。
【請求項５】
前記散水パイプを自動車を幅方向に挟んだ開位置から自動車の前面部もしくは後面部に回り込んだ閉位置までの間で揺動可能にしたことを特徴とする上記請求項１乃至４記載の洗車装置。
【発明の詳細な説明】
【技術分野】
【０００１】
本発明は、自動車に洗浄水・液剤・ワックス・撥水剤等を噴射し、ユーザが手洗いで洗車を行うタイプの洗車装置に関するものである。
【背景技術】
【０００２】
この種の装置としては、スプレー銃から洗浄水や液剤などを散布する洗車装置が普及している。この種の洗車装置は、スプレー銃から噴射する洗浄水や液剤により車体を高圧洗浄するものであり、最近では泡状の液剤を散布できる機能が追加され、車体に液剤を散布した状態でユーザが手洗いで洗車するという使い方ができるものもある。しかし、この装置は、スプレー銃を持ったまま車体の周囲を右往左往する必要があるので作業性が悪く、洗浄水の掛かり方にムラができやすくなり、洗車慣れしていないユーザにとっては扱いにくいものであった。
【０００３】
一方、自動車の上方を移動する台車に、高圧の洗浄水を噴射する噴射ノズルを装備して、この台車を走行させながら自動車に洗浄水を噴射して車体の洗浄を図る洗車装置が提案されている（特開平２−３８１７０号）。しかしこの装置では、自動車を取り囲む大きさのレールを天井から吊下げ、噴射ノズルを備えた走行体をこのレールに沿って周回させながら、洗浄水を車体に噴射しているので、少なくとも洗浄する自動車よりも大きなレールが必要となり、設置作業が大がかりなものになる。加えて、レールは、走行体が洗浄する自動車と接触するのを防ぐために、自動車の周囲に十分な隙間を持たせるような範囲に設定されるので装置自体が大型化してしまうとともに、レールに沿って１体の走行体が周回するので、自動車全体に洗浄水を噴射するのに時間が掛かるという問題があった。
【０００４】
更に、実開昭６０−１２８８４９号に見られるように、門型に形成したフレームにアーチ状の噴水パイプを備え、自動車を跨ぐように走行させて噴水パイプから洗浄水を散布する洗車装置もある。しかしこの装置では、自動車を挟んで対面する左右の噴水パイプから噴射される洗浄水同士、もしくは自動車上面に噴射する洗浄水が干渉し合い、車体に当たる前に圧力が低下してしまったり、水煙となって周囲に飛散してしまうという問題があった。
【特許文献１】特開平２−３８１７０号公報
【特許文献２】実開昭６０−１２８８４９号のマイクロフィルム
【発明の開示】
【発明が解決しようとする課題】
【０００５】
そこで、本発明が解決しようとする課題は、簡単な構成で手洗い洗車が実行でき、しかも噴射ノズルから噴射する洗浄水同士が干渉しないようにする洗車装置を提供することにある。
【課題を解決するための手段】
【０００６】
このような課題を解決するために本発明は、洗浄する自動車を跨ぐように配設されたフレームと、該フレームの上方に取り付けられるレールと、該レールに沿って自動車の上方を長さ方向に走行する台車と、該台車から自動車を挟むように吊下される左右一対の散水パイプと、前記パイプに設けられ自動車に向けて洗浄水を噴射する噴射ノズルと、該ノズルに高圧水を供給する給水ユニットとを備えた洗車装置であって、前記散水パイプの左側パイプと右側パイプとを前後にずらして配置したものである。
【０００７】
また、散水パイプの左側パイプに設けられる噴射ノズルと、右側パイプに設けられる噴射ノズルとを前後にずらして配置したものである。更に、散水パイプを逆Ｌ型に形成し、該パイプの水平部及び垂直部の内面に噴射ノズルを備えるとともに、パイプ水平部に設けられる噴射ノズルと、パイプ垂直部に設けられる噴射ノズルとを前後にずらして配置したものである。
【０００８】
そして、散水パイプの垂直部内面に設けられる噴射ノズルを水平方向よりもやや下向きに指向させている。また、この散水パイプを自動車を幅方向に挟んだ開位置から自動車の前面部もしくは後面部に回り込んだ閉位置までの間で揺動可能にしている。
【発明の効果】
【０００９】
本発明の洗車装置によれば、高圧で噴射される洗浄水同士が干渉して減圧することなく、洗浄水をそのままの圧力で車体に作用させることができるとともに、干渉による水煙の発生がなくなり、周囲への飛散を防止することができる。
【００１０】
また、散水パイプを自動車の側面から前面及び後面に揺動するようにしたので、上記作用を持たせた状態で、自動車全面に対して均一な水圧で洗浄水を作用でき、ムラのない洗車が可能になる。
【発明を実施するための最良の形態】
【００１１】
給油所や有人の洗車場のみならず、無人のコイン洗車場に設置され、自動車の全面に高圧の洗浄水を噴射して汚れを取り除いたり、自動車の表面に散布された液剤で手洗いを施した後、濯ぎを図るといった使い方をする洗車装置として採用できる。
【実施例１】
【００１２】
以下、図面を基に、本発明の実施例について説明する。図１は本発明の洗車装置の正面図、図２は同装置の側面図、図３は同装置の平面図である。
１，１はフレームで、床面に設定した自動車の洗車エリアＡを短手方向に跨ぐようにアーチ状に形成され、所定間隔Ｓ１を持たせて前後一対に設置されている。２は台車走行レールで、フレーム１，１間の上方に架設される固定部２ａと、フレーム１，１の前後に取り付けられる延長部２ｂからなり、フレーム１，１間の間隔Ｓ１よりも長い台車の走行範囲を確保した状態で、フレーム１，１間の上方内面に備えられる。３は台車で、台車走行レール２の前端近傍と後端近傍に各１つずつ設けたリミットスイッチ４ａ，４ｂによって与えられる走行範囲Ｓ２で台車走行レール２を往復走行する。
【００１３】
５はポンプ等を内蔵した給水ユニットで、ホースを介して台車３に洗浄水を供給する。この給水ユニット５からのホースは、いずれか一方の本体フレーム１下部に形成される配管引込部１ａに接続されて、フレーム１に沿って立ち上げられ、同フレーム１の上部に形成した配管引出部１ｂから外部に引き出された後、同フレーム１に折り畳み自在に取り付けられた給水アーム１ｃに支持されて、台車３に接続されている。６は料金受付や洗車コース選択などを行う受付ユニットで、使用者が操作しやすい高さに操作パネルや電装品を備えた機能ボックス部６ａを形成し、下方部に洗車用具（バケツや手洗い用ムートンなど）を収納する収納部６ｂを形成している。収納部６ｂには、前面に前倒式の収納ボックスが備えられ、側面にタオル掛けが装備されている。
【００１４】
７，７は台車３の下方に取り付けられる散水パイプで、左右一対に設けられ、台車３の走行方向と直交して自動車を挟むように位置する開位置から、台車３の走行方向に沿って自動車の前端に回り込む前閉位置、及び台車３の走行方向に沿って自動車の後端に回り込む後閉位置までの範囲Ｓ３で揺動する。この散水パイプ７，７は、台車３に取り付けられる回転支持部７ａ，７ａと、この回転支持部７ａ，７ａから水平に延びる水平パイプ７ｂ，７ｂと、この水平パイプ７ｂ，７ｂの先端から床面に向けて垂直に延びる垂直パイプ７ｃ，７ｃとからなり、正面視逆Ｌ字状に形成される。これら回転支持部〜垂直パイプは、すべて中空をなして通水し、前記給水ユニット５からの送水を受けて、水平パイプ７ｂ，７ｂの内側に設けた複数の噴射ノズル８及び垂直パイプ７ｃ，７ｃの内側に設けた噴射ノズル９から高圧の洗浄水を噴射する。
【００１５】
ここで、散水パイプ７，７が開位置にあるとき、対面する垂直パイプ７ｃ，７ｃ同士の噴射ノズル９から噴射される洗浄水が相互に干渉して洗浄効果を低下させてしまうのを防ぐために、垂直パイプ７ｃ，７ｃを水平パイプ７ｂ，７ｂに対して、平面視で前後にそれぞれ距離Ｌずつずらした状態で配置させている。本実施例では、図３における自動車乗り入れ口に対して、左側の垂直パイプ７ｃを前方へ、右側の垂直パイプ７ｃを後方へ距離Ｌずつずらして配置している。これにより、散水パイプ７，７を開位置にして、高圧の洗浄水を噴射するとき、自動車を挟んで対面する垂直パイプ７ｃ，７ｃ同士は、前後に距離Ｌずつ、すなわち距離２Ｌ分ずれているので、それぞれの噴射ノズル９からの噴射は相互に干渉することなく、車体に作用させることができ、水煙が生成されて周囲に飛散することもなくなる。
【００１６】
また、水平パイプ７ｂ，７ｂと垂直パイプ７ｃ，７ｃとは距離Ｌ分ずれているので、噴射ノズル８からの噴射と噴射ノズル９からの噴射も干渉しない。更に、図１に示すように、水平パイプ７ｂ，７ｂの噴射ノズル８は、垂直方向に指向させており、垂直パイプ７ｃ，７ｃの噴射ノズル９は、正面視で水平方向よりもやや斜め下方向に指向させているので、噴射ノズル８からの噴射と、噴射ノズル９からの噴射はより確実に干渉が避けられ、効率よく車体に洗浄水を噴射させることもできる。
【００１７】
続いて、図４〜６を用いて台車３に付属される装置を説明する。
１０は正逆転可能な台車走行モータで、４つの車輪１１，１１，１２，１２のうち、駆動輪１１，１１の車軸１３に連係装置１４を介して連係し、台車３を台車走行ガイド枠２内で前後方向に往復走行させる。１５，１５は前記散水パイプ７，７を開閉する回動装置で、パイプ７，７の回転支持部７ａ，７ａ先端に固着される第１スプロケット１６，１６と、台車３に取り付けられる第２スプロケット１７，１７と、両スプロケット１６，１７を懸架するチェーン１８，１８と、左右のチェーン１８，１８間に架設される連結体１９と、この連結体１９を前後動するシリンダ２０とから構成されている。シリンダ２０は、前後に伸縮する２つのロッド２０ａ，２０ｂを有し、一方のロッド２０ａの先端を前記連結体１９に連係し、他方のロッド２０ｂの先端を台車３に固定している。これにより、散水パイプ７，７は、図５に示すように、シリンダ２０の第１ロッド２０ａを縮め、第２ロッド２０ｂを伸ばした状態で開位置（図５ａ）にあり、両ロッド２０ａ，２０ｂを伸ばした状態で前閉位置（図５ｂ）に回動し、両ロッド２０ａ，２０ｂを縮めた状態で後閉位置（図５ｃ）に回動するものである。
【００１８】
２１，２１，２２，２２は台車３の前端と後端に取り付けられる散水パイプで、２１はフォーム状の洗剤を散布する泡噴射用パイプ、２２は撥水剤を散布する撥水剤用パイプである。泡噴射用パイプ２１は、図６（ａ）に示すように、先端に自動車に向かうよう正面視で下方内側、平面視でやや外側に指向させた噴射ノズル２３が設けられている。撥水用パイプ２２は、図６（ｂ）に示すように、垂直下方に指向させた噴射ノズル２４が所定間隔毎に複数設けられている。これにより、泡噴射用パイプ２１からの泡は、自動車の前端及び後端に万遍なく散布される。
【００１９】
図７は上記実施例における管路構成を示す説明図である。
２５は高圧ポンプで、ホース２７を介して台車３の散水パイプ７，７に送水する。２６は低圧ポンプで、ホース２８を介して台車３の泡噴射用パイプ２１へ送水するとともに、ホース２９を介して台車３の撥水用パイプ２２へ送水する。高圧ポンプ２５の送水は、ホース２７から散水パイプ７の回転支持部７ａ先端に至り、水平パイプ７ｂ及び垂直パイプ７ｃの噴射ノズル８，９から噴射される。低圧ポンプ２６の送水は、給水ユニット５内で給水管路３０，３１に分岐され、それぞれ電磁弁３２，３３を介してホース２８及びホース２９から泡噴射用パイプ２１及び撥水用パイプ２２に至っている。
【００２０】
泡噴射用パイプ２０に至る管路３０には、洗剤タンク３４と連通した洗剤管路３５が混合器３６において接続され、管路３０への通水に伴い洗剤タンク３４より洗剤を混入する。３７は洗剤管路３５に設けられる電磁弁である。撥水用パイプ２２へ至る管路３１には、撥水剤タンク３８と連通した撥水管路３９が接続され、ケミカルポンプ４０を介して管路３１へ撥水剤を混入する。
【００２１】
４１はコンプレッサと接続して圧縮空気を貯えるエアタンクで、レギュレータ４２を介して散水パイプ７，７の駆動シリンダ２０に接続されている。また、エアタンク４１からの高圧エアは、電磁弁４３を介してホース２７、電磁弁４４を介して給水管路３０，３１にそれぞれ導入され、必要に応じて管路内の水抜き（凍結防止措置）に使用される。更に、電磁弁４５を介して管路３０に接続されており、泡噴射用パイプ２０の噴射ノズル１９より洗剤水溶液を放出する際にエアが導入されることにより洗剤が起泡されて、洗剤の車体への定着性を向上させるとともに、洗車機としてのショー効果が得られる。
【００２２】
続いて、図８を用いて上記実施例の制御系について説明する。
５１は制御部で、マイクロコンピューター５２を備え、入力ポート５３においてリミットスイッチ４ａ，４ｂ、操作パネル５４、温度センサ５５と接続し、出力ポート５６において台車３の走行モータ１０、散水パイプ７，７の駆動シリンダ２０および給水ユニット５の各動作機器と接続している。温度センサ５５は、受付ユニット６の底部付近の外的影響を受けにくい位置に設けられ、洗車機を使用する外気温を検出するものである。
【００２３】
操作パネル５４には、洗車コースを選択するコースキー５７、洗車を開始するスタートキー５８、洗車を中止するストップキー５９、プリペイドカードを受け付けるカードリーダ６０、コインを受け付けるコインメック６１が備えられ、顧客の希望に添った洗車形態を設定できるようになっている。コースキー５７では、それぞれ異なるシーケンス動作を与える複数の洗車コースのうち希望のコースを選択でき、ここでは、通常の１往復水洗車コース、２往復手洗い洗剤コース、３往復撥水コース、ダブル撥水コースが選択できる。尚、これら洗車コースは、制御部５１における管理機能で適宜変更可能である。また、制御部５１における管理機能では、洗車台数の集計・各異常発生時のメンテナンスなどが行える他、台車３の待機位置を初期設定する設定手段としても用いられる。
【００２４】
続いて、以上のように構成する洗車装置で手洗い洗車を行う場合について説明する。図９は洗車コースとしてダブル撥水コースを選択した時のフローチャート図、図１０は同洗車コースの動作状態を示す説明図である。
自動車を洗車エリアＡ内に乗り入れ、受付ユニット６の操作パネル５４でコースキー５７を操作して”ダブル撥水コース”を選択し、スタートキー５８が押されると洗車動作が実行される。制御部５１では、台車３が待機位置にいるかをリミットスイッチ４ａ，４ｂの信号により確認した後、洗車動作に入る。尚、散水パイプ７，７は、シリンダ２０の第１ロッド２０ａを縮め、第２ロッド２０ｂを伸ばした状態で洗車スペースＡの幅方向に開いた開位置にある。
【００２５】
○第１往工程
高圧ポンプ２５を作動して散水パイプ７，７から高圧水を噴射し、自動車に付着した砂や泥を洗い流す高圧洗浄が行われる。まず、台車３が待機位置にいる状態（ここではリミットスイッチ４ａがスイッチングしている状態）で散水パイプ７，７から高圧水の噴射を開始し、シリンダ２０を駆動して散水パイプ７，７を開位置から、前閉じ位置に１往復回動させて自動車の前端を高圧洗浄する。その後、散水パイプ７，７を開位置に戻してから、走行モータ１０を駆動して台車３を往行させ、自動車の側面を高圧洗浄する。その次に、台車３が後方の走行限界に達したことをリミットスイッチ４ｂで検出すると、台車３の走行を停止し、シリンダ２０を駆動して散水パイプ７，７を開位置から、後閉じ位置に１往復回動させて自動車の後端を高圧洗浄する。（図１０ａ）
【００２６】
○第１復工程
台車３の復行に伴い、泡噴射用パイプ２１の噴射ノズル２３から起泡された洗剤水を噴射して車体に付着させる泡散布が行われる。泡噴射用パイプ２１は、台車３の前端及び後端に装備されており、噴射ノズル２３はパイプ先端から自動車に向けて下方やや内側で且つ自動車先端方向に指向させているので、自動車に対して万遍なくフォーム状の洗剤が散布される。（図１０ｂ）
【００２７】
○手洗い工程
第１復工程が終了すると、洗車動作は一旦停止し、ユーザやサービスマンによる手洗い洗車が行われる。第１復工程で自動車車体に散布されたフォーム状の洗剤をタオルやムートンを用いて広げつつ車体の洗浄を行うのである。洗車作業後は、再度スタートキー５８を入力することで、洗車動作を再開させることができる。尚、主にユーザが使用するセルフサービス型の洗車場に設置する場合には、制限時間を設定し、時間経過後は洗車動作を再開させる旨の報知を行うようにすることが望ましい。このとき、制限時間を可変できるようにしてもよいことはいうまでもない。
【００２８】
○第２往工程
洗車が再開されると、前記第１往工程と同じ手順で高圧洗浄が行われ、洗車後の泡を取り除く濯ぎが行われる。（図１０ａ）上記第１往工程とともに、高圧洗浄が行われるあたり、散水パイプ７，７の垂直パイプ７ｃ，７ｃ同士は前後に距離Ｌずつずらしてあるため噴射の干渉はなく、水平パイプ７ｂ，７ｂの噴射との干渉もない。
【００２９】
○第２復工程
台車３の復行に伴い、撥水用パイプ２２の噴射ノズル２４から撥水剤を含む洗浄水を噴射して車体に付着させるワックス散布が行われる。撥水用パイプ２２の噴射ノズル２４は、放散性の高いノズルで構成されているので、自動車に対して万遍なく撥水剤が散布される。（図１０ｃ）
【００３０】
○第３往工程
前記第２復工程と同じ手順でワックス散布が行われる。これにより、実質的に台車３が１往復する間、撥水剤が散布されることになり車体に確実に撥水剤を塗布することができる。（図１０ｃ）
【００３１】
○第３復工程
台車３の復行に伴い、撥水用パイプ２２の噴射ノズル２４から撥水剤を含まない洗浄水のみを低圧で噴射して車体の濯ぎが行われる。（図１０ｃ）
【００３２】
こうして洗浄動作が終了すると、終了報知などで洗車エリアからの退出を促す。このとき、温度センサ５５で検出される外気温が凍結の虞のある場合（例えば５℃以下）、管路内の凍結を防ぐために使用した管路の水抜きを行う凍結防止措置を行うようにする。
【００３３】
このように構成される洗車装置は、回転ブラシを備えず、高圧洗浄水の噴射による洗浄と、液剤や撥水剤を散布しての手洗い洗浄を行うものであり、サービスマンが常駐するサービスステーションに設置してフルサービスによる洗車を行う場合にも、無人のコイン洗車場などに設置してユーザが自ら洗車を行う場合にも流用できる。設置にあたり、高圧洗浄水が周囲に飛散するのを防止するため、自動車乗り入れ口を除く周面をカーテン等で覆うことが望ましく、このカーテンを透明体で構成することで周囲へのショー効果を損なわずにアピールできる。
【実施例２】
【００３４】
図１１，１２は本発明の別の実施例を示す説明図である。実施例１では、散水パイプ７，７の垂直パイプ７ｃ，７ｃを水平パイプ７ｂ，７ｂに対して前後にずらして配置したものである（図１１ａ）が、実施例２は垂直パイプ７ｃ，７ｃと水平パイプ７ｂ，７ｂは一直線上に配置し、垂直パイプ７ｃ，７ｃの噴射ノズル９を垂直パイプ７ｃ，７ｃからずらして配置している（図１１ｂ）。すなわち、図１２において、自動車乗り入れ口に対して、左側の垂直パイプ７ｃに設けられる噴射ノズル９Ｌを前方へ、右側の垂直パイプ７ｃに設けられる噴射ノズル９Ｒを後方へ距離Ｌ’ずつずらして配置している。これにより、散水パイプ７，７を開位置にして、高圧の洗浄水を噴射しても、自動車を挟んで対面する垂直パイプ７ｃ，７ｃからの噴射は相互に干渉することなく、車体に作用させることができ、水煙が生成されて周囲に飛散することもなくなるといった、上記実施例１と同様の効果を得ることができる。
【産業上の利用可能性】
【００３５】
特に、ブラシを備えず、高圧洗浄及び手洗い洗浄により丁寧な洗車が行われることをアピールした洗車機を提供できる。
【図面の簡単な説明】
【００３６】
【図１】本発明の実施例１の洗車装置を示す正面図である。
【図２】同装置の側面図である。
【図３】同装置の平面図である。
【図４】同装置における台車２の構造を示す説明図である。
【図５】同装置におけるアーム駆動手段の動作を示す説明図である。
【図６】同装置における散水ノズルの構造を示す説明図である。
【図７】同装置における管路系を示す説明図である。
【図８】同装置における制御系を示すブロック図である。
【図９】同装置の動作を示すフローチャート図である。
【図１０】同装置の動作を示す説明図である。
【図１１】実施例１，２の散水パイプ７を示す斜視図である。
【図１２】実施例２の台車３及び散水パイプ７を示す平面図である。
【符号の説明】
【００３７】
１    フレーム
２    台車走行レール
３    台車
４ａ，４ｂ    リミットスイッチ
５    給水ユニット
６    受付ユニット
７    散水パイプ
７ａ  回転支持部
７ｂ  水平パイプ
７ｃ  垂直パイプ
８    噴射ノズル（水平パイプ付属）
９    噴射ノズル（垂直パイプ付属）
２０  シリンダ（アーム駆動手段）
２１  泡噴射用パイプ
２２  撥水剤用パイプ
２３  噴射ノズル（泡噴射用）
２４  噴射ノズル（撥水剤用）
５１  制御部（設定手段）
【図１】
2005145216.tif 000003
【図２】
2005145216.tif 000004
【図３】
2005145216.tif 000005
【図４】
2005145216.tif 000006
【図５】
2005145216.tif 000007
【図６】
2005145216.tif 000008
【図７】
2005145216.tif 000009
【図８】
2005145216.tif 000010
【図９】
2005145216.tif 000011
【図１０】
2005145216.tif 000012
【図１１】
2005145216.tif 000013
【図１２】
2005145216.tif 000014